【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
複数のバンドグループを使用し、各バンドグループに属する複数のバンド間で周波数をホッピングさせた信号を、各バンドの中心周波数から離間したローカル周波数を用いて送信処理する無線送信装置であって：
第１のバンドグループによる送信の際に、前記第１のバンドグループに属する各バンドの中心周波数に対して低周波側の前記ローカル周波数を生成するローカル周波数生成部を備え；
前記ローカル周波数生成部は、第２のバンドグループによる通信の際に、前記第２のバンドグループに属する各バンドの中心周波数よりも高周波側のローカル周波数であって前記第１のバンドグループによる通信の際に生成するローカル周波数と同一のローカル周波数を生成することを特徴とする、無線送信装置。
【請求項２】
前記第１のバンドグループに属する１つのバンドの中心周波数と、前記第１のバンドグループと帯域が隣接する第３のバンドグループに属する１つのバンドの中心周波数とが同一の周波数であり、
前記ローカル周波数生成部は、
一方の入力に前記同一の周波数に対応する離間したローカル周波数である第１の周波数が入力され、他方の入力に隣接する２つバンドのバンド間隔に相当する第２の周波数又は隣接する３つのバンドのうち両端のバンドのバンド間隔に相当する第３の周波数が入力される周波数合成部を備えることを特徴とする、請求項１に記載の無線送信装置。
【請求項３】
前記周波数合成部の前記一方の入力には、前記第１の周波数が固定値として入力されることを特徴とする、請求項２に記載の無線送信装置。
【請求項４】
前記ローカル周波数生成部は、前記第２の周波数をデジタル波形合成により生成する第１の周波数生成部と、前記第３の周波数をデジタル波形合成により生成する第２の周波数生成部を備えることを特徴とする、請求項２に記載の無線送信装置。
【請求項５】
前記第１の周波数生成部は５波合成により前記第２の周波数を生成する第１のデジタルサインジェネレータからなり、前記第２の周波数生成部は３波合成により前記第３の周波数を生成する第２のデジタルサインジェネレータからなることを特徴とする、請求項４に記載の無線送信装置。
【請求項６】
前記第１のデジタルサインジェネレータは、前記第２の周波数の位相を制御する位相制御部と前記第２の周波数の振幅を制御する振幅制御部とを備え、前記第２のデジタルサインジェネレータは、前記第３の周波数の位相を制御する位相制御部と前記第３の周波数の振幅を制御する振幅制御部とを備えることを特徴とする、請求項４に記載の無線送信装置。
【請求項７】
デジタル信号であるベースバンド信号を生成するベースバンド信号生成部と、
前記ベースバンド信号に対してデジタル周波数変換を行うデジタル周波数変換部と、
前記デジタル周波数変換部からの出力をアナログ信号に変換するＤＡ変換部と、
前記ＤＡ変換部からの出力にフィルタ処理を行うフィルタ部と、
前記ローカル周波数生成部により生成されたローカル周波数により前記フィルタ部からの出力にアナログ周波数変換を行うアナログ周波数変換部と、を備え、
第１のバンドグループによる送信の際に、前記ベースバンド信号の並びを逆転させた後、前記デジタル周波数変換を行い、また、前記第１及び第２のバンドグループの双方の送信で前記デジタル周波数変換のための周波数の符号を同一とし、前記第１及び第２のバンドグループ送信で前記アナログ周波数変換のためのローカル周波数の符号を反転させることで、前記第１及び第２のバンドグループの双方の送信で同一特性の前記フィルタ部を使用することを特徴とする、請求項１に記載の無線送信装置。
【請求項８】
前記アナログ周波数変換のためのローカル周波数の符号を反転させる手段として、前記アナログ周波数変換部の少なくとも１つの入力部に、入力信号を反転させるための切換部を備えることを特徴とする請求項７に記載の無線送信装置。
【請求項９】
複数のバンドグループにおいて各バンドグループに属する複数のバンド間で周波数をホッピングさせた信号を、各バンドの中心周波数から離間したローカル周波数を用いて受信処理する無線受信装置であって：
第１のバンドグループによる受信の際に、前記第１のバンドグループに属する各バンドの中心周波数に対して低周波側の前記ローカル周波数を生成するローカル周波数生成部を備え；
前記ローカル周波数生成部は、第２のバンドグループによる受信の際に、前記第２のバンドグループに属する各バンドの中心周波数よりも高周波側のローカル周波数であって前記第１のバンドグループによる通信の際に生成するローカル周波数と同一のローカル周波数を生成することを特徴とする、無線受信装置。
【請求項１０】
前記第１のバンドグループに属する１つのバンドの中心周波数と、前記第１のバンドグループと帯域が隣接する第３のバンドグループに属する１つのバンドの中心周波数とが同一の周波数であり、
前記ローカル周波数生成部は、
一方の入力に前記同一の周波数に対応する離間したローカル周波数である第１の周波数が入力され、他方の入力に隣接する２つバンドのバンド間隔に相当する第２の周波数又は隣接する３つのバンドのうち両端のバンドのバンド間隔に相当する第３の周波数が入力される周波数合成部を備えることを特徴とする、請求項９に記載の無線受信装置。
【請求項１１】
前記周波数合成部の前記一方の入力には、前記第１の周波数が固定値として入力されることを特徴とする、請求項１０に記載の無線受信装置。
【請求項１２】
前記ローカル周波数生成部は、前記第２の周波数をデジタル波形合成により生成する第１の周波数生成部と、前記第３の周波数をデジタル波形合成により生成する第２の周波数生成部を備えることを特徴とする、請求項１０に記載の無線受信装置。
【請求項１３】
前記第１の周波数生成部は５波合成により前記第２の周波数を生成する第１のデジタルサインジェネレータからなり、前記第２の周波数生成部は３波合成により前記第３の周波数を生成する第２のデジタルサインジェネレータからなることを特徴とする、請求項１２に記載の無線受信装置。
【請求項１４】
前記第１のデジタルサインジェネレータは、前記第２の周波数の位相を制御する位相制御部と、前記第２の周波数の振幅を制御する振幅制御部とを備え、前記第２のデジタルサインジェネレータは、前記第３の周波数の位相を制御する位相制御部と前記第３の周波数の振幅を制御する振幅制御部とを備えることを特徴とする、請求項１２に記載の無線受信装置。
【請求項１５】
受信したＲＦ信号を前記ローカル周波数生成部により生成されたローカル周波数によりアナログ周波数変換を行うアナログ周波数変換部と、
前記アナログ周波数変換部からの出力にフィルタ処理を行うフィルタ部と、
前記フィルタ部からの出力をデジタル信号に変換するＡＤ変換部と、
前記ＡＤ変換部からの出力にデジタル周波数変換を行うデジタル周波数変換部と、を備え、
第１のバンドグループによる受信の際に、前記アナログ周波数変換部において反転されたローカル周波数を用い、前記第１及び第２のバンドグループの双方の送信で前記デジタル周波数変換のための周波数の符号を同一とし、前期デジタル周波数変換部の出力信号の並びを逆転させることで、前記第１及び第２のバンドグループの双方の通信で同一特性の前記フィルタ部を使用することを特徴とする、請求項９に記載の無線受信装置。
【請求項１６】
受信したＲＦ信号を前記ローカル周波数生成部により生成されたローカル周波数によりアナログ周波数変換を行うアナログ周波数変換部と、
前記アナログ周波数変換部からの出力にフィルタ処理を行うフィルタ部と、
前記フィルタ部からの出力をデジタル信号に変換するＡＤ変換部と、
前記ＡＤ変換部からの出力にデジタル周波数変換を行うデジタル周波数変換部と、を備え、
第１のバンドグループによる受信の際に、前記アナログ周波数変換部において反転されたローカル周波数を用い、前記第１及び第２のバンドグループの双方の送信で前記デジタル周波数変換のための周波数の符号を反転させ、前期デジタル周波数変換部の出力にフィルタ処理を行うことで、前記第１及び第２のバンドグループの双方の通信で同一特性の前記フィルタ部を使用することを特徴とする、請求項９に記載の無線受信装置。
【請求項１７】
前記アナログ周波数変換部でローカル周波数の符号を反転させる手段として、前記アナログ周波数変換部の少なくとも１つの入力部に、入力信号を反転させるための切換部を備えることを特徴とする請求項１５又は１６に記載の無線受信装置。
【請求項１８】
前記アナログ周波数変換部でローカル周波数の符号を反転させる手段として、前記アナログ周波数変換部の片側の出力に、出力信号を反転させるための切換部を備えることを特徴とする請求項１５又は１６に記載の無線受信装置。
【請求項１９】
複数のバンドグループを使用し、各バンドグループに属する複数のバンド間で周波数をホッピングさせた信号を、各バンドの中心周波数から離間したローカル周波数を用いて通信処理する無線通信方法であって、
第１のバンドグループによる通信の際に、前記第１のバンドグループに属する各バンドの中心周波数に対して低周波側の前記ローカル周波数を生成するステップと、
第２のバンドグループによる通信の際に、前記第２のバンドグループに属する各バンドの中心周波数よりも高周波側のローカル周波数であって前記第１のバンドグループによる通信の際に生成するローカル周波数と同一のローカル周波数を生成するステップと、
を備えることを特徴とする、無線通信方法。